(57)【要約】【課題】発光モジュールの交換時に、発光モジュールの破損を防止することができる照明パネルを提供する。【解決手段】照明パネル１００は、設置面に取り付けられるベース部５０と、ベース部５０に着脱可能に固定される変形可能な発光モジュール４０と、発光モジュール４０を着脱可能に保持する保持部５１と、発光モジュール４０のうら面に設けられ、保持部５１に装着される被保持部３３とを備える。発光モジュール４０は、おもて面側に発光面を有する発光素子と、被保持部３３が保持部５１に装着された状態における発光モジュール４０の周縁部の一部をベース部５０から離隔して発光モジュール４０をベース部５０から離脱させる際に、被保持部３３と発光モジュール４０との境界部に負荷される応力を緩和する応力緩和部３４とを含む。【選択図】図５
2015138740.tif 000002
【特許請求の範囲】
【請求項１】
設置面に設置される照明パネルであって、
設置面に取り付けられるベース部と、
おもて面から光を出射するとともに、うら面が前記ベース部に対向するように前記ベース部に着脱可能に固定される、変形可能な発光モジュールと、
前記ベース部上に設けられ、前記発光モジュールを着脱可能に保持する保持部と、
前記発光モジュールの前記うら面に設けられ、前記保持部に装着される被保持部とを備え、
前記発光モジュールは、前記おもて面側に発光面を有する発光素子と、前記被保持部が前記保持部に装着された状態における前記発光モジュールの周縁部の一部を前記ベース部から離隔して前記発光モジュールを前記ベース部から離脱させる際に、前記被保持部と前記発光モジュールとの境界部に負荷される応力を緩和する応力緩和部とを含む、照明パネル。
【請求項２】
前記応力緩和部が、前記発光面が位置する側と反対側に位置する前記発光素子の裏面に設けられている、請求項１に記載の照明パネル。
【請求項３】
前記発光モジュールは、前記発光面が位置する側と反対側から前記発光素子を保持する保持基材をさらに含み、
前記応力緩和部が、前記保持基材上に設けられている、請求項１に記載の照明パネル。
【請求項４】
前記発光モジュールは、前記発光素子を前記発光面側から覆う封止部をさらに含む、請求項３に記載の照明パネル。
【請求項５】
前記応力緩和部がシート状樹脂部材である、請求項１から４のいずれか１項に記載の照明パネル。
【請求項６】
前記応力緩和部が前記被保持部に隣接するように設けられた樹脂部材である、請求項１から４のいずれか１項に記載の照明パネル。
【請求項７】
前記発光モジュールの前記周縁部の一部を前記ベース部から離隔させるための離隔手段をさらに備える、請求項１から６のいずれか１項に記載の照明パネル。
【請求項８】
前記離隔手段は、前記発光モジュールの前記周縁部の一部から前記発光モジュールの前記おもて面側に向けて引き出されたつまみ部である、請求項７に記載の照明パネル。
【発明の詳細な説明】
【技術分野】
【０００１】
本発明は、発光モジュールを備えた照明パネルに関し、特に、壁面、天井面、床面等の各種の設置面に設置される照明パネルに関する。
【背景技術】
【０００２】
近年、有機ＥＬ（Organic  Electroluminescence）等を利用した面状発光の照明パネルが各種提案されている。この種の照明パネルが開示された文献として、たとえば特表２００７−５３６７０８号公報（特許文献１）が挙げられる。
【０００３】
特許文献１に開示の照明パネルは、複数の発光モジュールと、これらを支持するベース部とを備える。複数の発光モジュールは、マトリクス状に並べられて着脱可能にベース部に固定される。固定の際には、発光モジュール側に設けられた特徴部（被保持部）と、ベース部側に設けられ、被保持部を軽保持するラッチ部（保持部）等によって構成される固定部材が用いられる。
【先行技術文献】
【特許文献】
【０００４】
【特許文献１】特表２００７−５３６７０８号公報
【発明の概要】
【発明が解決しようとする課題】
【０００５】
特許文献１に開示の照明パネルにおいては、発光モジュールをベース部から離脱させる際に、発光モジュールと被保持部との間に応力が集中してしまい、発光モジュールが破損することが懸念される。
【０００６】
発光モジュール側の被保持部が破損すると、ベース部側に発光モジュールの一部が残り、交換のための発光モジュールが取り付けられなくなったり、残った発光モジュールの一部を取り除く必要が生じたりし、発光モジュールの着脱機能を損ねてしまう。
【０００７】
本発明は、上記のような問題に鑑みてなされたものであり、本発明の目的は、発光モジュールの交換時に、発光モジュールの破損を防止することができる照明パネルを提供することにある。
【課題を解決するための手段】
【０００８】
本発明に基づく照明パネルは、設置面に設置されるものであって、設置面に取り付けられるベース部と、おもて面から光を出射するとともに、うら面が上記ベース部に対向するように上記ベース部に着脱可能に固定される、変形可能な発光モジュールと、上記ベース部上に設けられ、上記発光モジュールを着脱可能に保持する保持部と、上記発光モジュールの上記うら面に設けられ、上記保持部に装着される被保持部とを備える。上記発光モジュールは、上記おもて面側に発光面を有する発光素子と、上記被保持部が上記保持部に装着された状態における上記発光モジュールの周縁部の一部を上記ベース部から離隔して上記発光モジュールを上記ベース部から離脱させる際に、上記被保持部と上記発光モジュールとの境界部に負荷される応力を緩和する応力緩和部とを含む。
【０００９】
上記本発明に基づく照明パネルにあっては、上記応力緩和部が、上記発光面が位置する側と反対側に位置する上記発光素子の裏面に設けられていることが好ましい。
【００１０】
上記本発明に基づく照明パネルにあっては、上記発光モジュールは、上記発光面が位置する側と反対側から上記発光素子を保持する保持基材をさらに含むことが好ましい。この場合には、上記応力緩和部が、上記保持基材上に設けられていることが好ましい。
【００１１】
上記本発明に基づく照明パネルにあっては、上記発光モジュールは、上記発光素子を上記発光面側から覆う封止部をさらに含むことが好ましい。
【００１２】
上記本発明に基づく照明パネルにあっては、上記応力緩和部がシート状樹脂部材であることが好ましい。
【００１３】
上記本発明に基づく照明パネルにあっては、上記応力緩和部が上記被保持部に隣接するように設けられた樹脂部材であることが好ましい。
【００１４】
上記本発明に基づく照明パネルにあっては、上記発光モジュールの上記周縁部の一部を上記ベース部から離隔させるための離隔手段をさらに備えることが好ましい。
【００１５】
上記本発明に基づく照明パネルにあっては、上記離隔手段は、上記発光モジュールの周縁部の一部から上記発光モジュールの上記おもて面側に向けて引き出されたつまみ部であることが好ましい。
【発明の効果】
【００１６】
本発明によれば、発光モジュールの交換時に、発光モジュールの破損を防止することができる照明パネルを提供することができる。
【図面の簡単な説明】
【００１７】
【図１】本発明の実施の形態１に係る照明パネルを示す概略図である。
【図２】図１に示すＩＩ−ＩＩ線に沿った概略断面図である。
【図３】図１に示す発光素子の平面図である。
【図４】図３に示すＩＶ−ＩＶ線に沿った概略断面図である。
【図５】図２に示すＶ線に囲まれる領域を拡大して示す概略断面図である。
【図６】第１変形例における照明パネルを示す概略断面図である。
【図７】第２変形例における照明パネルを示す概略断面図である。
【図８】本発明の実施の形態２に係る照明パネルを示す概略断面図である。
【図９】第３変形例における照明パネルを示す概略断面図である。
【図１０】第４変形例における照明パネルを示す概略断面図である。
【図１１】本発明の実施の形態３に係る照明パネルを示す概略断面図である。
【発明を実施するための形態】
【００１８】
以下、本発明の実施の形態および変形例について、図を参照して詳細に説明する。なお、以下に示す実施の形態および変形例においては、同一のまたは共通する部分について図中同一の符号を付し、その説明は繰り返さない。また、実施の形態および変形例の説明において、個数、量などに言及する場合、特に記載がある場合を除き、本発明の範囲は必ずしもその個数、量などに限定されない。
【００１９】
（実施の形態１）
図１は、本発明の実施の形態に係る照明パネルを示す概略図である。図２は、図１に示すＩＩ−ＩＩ線に沿った断面図である。図１および図２を参照して、本実施の形態に係る照明パネル１００について説明する。なお、図２に示す破線部は、発光モジュールを離脱させる際における発光モジュールの周縁部の状態を示している。
【００２０】
図１および図２に示すように、照明パネル１００は、全体として面状に延びる薄板状の形状を有しており、設置面２００に設置される照明手段である。設置面２００とは、たとえば壁面、天井面および床面である。照明パネル１００は、複数の発光モジュール４０、ベース部５０、保持部５１、および被保持部３３を備える。照明パネル１００は、保持部５１および被保持部３３を介して複数の発光モジュール４０が図１中矢印に示すようにベース部５０に着脱可能に固定されることにより構成される。
【００２１】
複数の発光モジュール４０の各々は、おもて面４０ａから光を出射するとともに、うら面４０ｂがベース部５０に対向するようにベース部５０に着脱可能に固定される。複数の発光モジュール４０の各々は、８枚の発光素子１０と、１枚の保持基材３０と、１枚の封止部３１（図２参照）と、応力緩和部としてのシート状の樹脂部材３４を含む。発光モジュール４０は、可撓性を有し、変形可能に構成されている。なお、発光モジュール４０は、柔軟性を有し変形可能であってもよい。
【００２２】
８枚の発光素子１０は、接続配線（不図示）によって電気的に直列に接続されている。接続配線と電極との接続に際しては、銀ペースト、はんだ、または導電性テープ等が用いられる。電気的に直列に接続された８枚の発光素子１０の両端から引き出された接続配線は、電気接続部（不図示）として発光モジュール４０のうら面４０ｂ側に取り出される。発光素子１０の詳細な構成については後述する。
【００２３】
保持基材３０は、８枚の発光素子１０を保持する。保持基材３０は、後述する発光素子１０の発光面１１（図４参照）が位置する側と反対側から８枚の発光素子１０を保持する。保持基材３０としては、透光性を有し、かつ柔軟性を有する軟質材を採用することができる。具体的には、保持基材３０としては、ＰＥＴ（polyethylene  terephthalate）、ＰＥＮ（polyethylene  naphthalate）、ＰＣ（poly  carbonate）等の公知の透明樹脂フィルムを採用することが好ましい。
【００２４】
封止部３１（図２参照）は、８枚の発光素子１０を発光面１１側から覆う。封止部３１は、発光面１１が発光モジュール４０のおもて面４０ａ側を向くように発光素子１０を保持基材３０との間に封止する。これにより、発光モジュール４０のおもて面４０ａから光が出射可能となる。封止部３１のおもて面３１ａは、発光モジュールのおもて面４０ａに相当する。封止部３１は、発光素子１０間を接続する接続配線も発光素子１０と同時に封止する。これにより、接続配線が外気からの影響によって劣化することが防止される。
【００２５】
封止部３１としては、透光性を有し、かつ柔軟性を有する軟質材を採用することができる。具体的には、封止部３１としては、ＰＥＴ、ＰＥＮ、ＰＣ等の公知の透明樹脂フィルムを採用することが好ましい。
【００２６】
封止部３１は、保持基材３０との間に複数の発光素子１０を挟み込んだ状態で、真空環境下で保持基材３０に熱溶着、接着等される。
【００２７】
なお、封止部３１と、保持基材３０とは、同じ材料で構成されてもよいし、異なる材料で構成されてもよい。また、発光モジュール４０のおもて面４０ａ側が光透過性を有するように構成される限り、保持基材３０は、透光性を有さないように構成されていてもよく、たとえば、アルミニウム等の金属膜と樹脂フィルムの積層膜で構成されていてもよい。
【００２８】
シート状の樹脂部材３４は、被保持部３３が保持部５１に装着された状態における発光モジュール４０の周縁部の一部をベース部５０から離隔して発光モジュール４０をベース部５０から離脱させる際に、被保持部３３と発光モジュール４０との境界部に負荷される応力を緩和する部位である。
【００２９】
シート状の樹脂部材３４は、保持基材３０上に設けられ、保持基材３０と被保持部３３との間に設けられている。シート状の樹脂部材３４は、たとえば接着層を介して保持基材３０のうら面３０ｂに貼り付けられている。シート状の樹脂部材３４としては、ＰＥＴ、ＰＥＮ、ＰＣ等を採用することができる。
【００３０】
ベース部５０は、たとえばネジ等の固定手段（不図示）により設置面２００に取り付けられるように構成されている。ベース部５０は、可撓性を有するフィルム状またはシート状の部材によって構成される本体部と、当該本体部の表面に設けられ、外部電源から駆動電流を発光素子１０に供給するための配線部（不図示）とを含む。
【００３１】
発光モジュール４０がベース部５０に固定された状態では、発光モジュール４０に含まれる上述の電気接続部と、ベース部５０に設けられた上述の配線部とが電気的に接続される。これにより、外部電源からの駆動電流が配線部、電気接続部および上述の接続配線を介して発光素子１０に供給される。これにより、発光素子１０が発光し、発光モジュール４０のおもて面４０ａから光が出射される。
【００３２】
ベース部５０の本体部としては、可撓性を有するＰＣ，ＰＥＴ、ＰＭＭＡ（Polymethyl  Methacrylate）等の透明樹脂フィルムを採用することができる。この場合には、発光モジュール４０も可撓性を有するため、設置面が曲面形状を有する場合であっても、設置面に沿わせて照明パネル１００を設置することができる。
【００３３】
なお、ベース部５０の本体部としては、透明樹脂フィルムに限定されず、可撓性を有さないＡＬ（アルミニウム）、ＳＵＳ（ステンレス鋼）等の金属製の筐体等も採用することができる。この場合には、ベース部５０の本体部は、設置面の形状応じて形成されることが好ましい。
【００３４】
被保持部３３は、シート状の樹脂部材３４のうら面３４ｂに設けられ、保持部５１に装着される。シート状の樹脂部材３４のうら面３４ｂは、シート状の樹脂部材３４から露出する部分における保持基材３０のうら面３０ｂとともに、発光モジュール４０のうら面４０ｂを構成する。すなわち、被保持部３３は、発光モジュール４０のうら面４０ｂに設けられている。被保持部３３は、たとえば、発光モジュール４０の四隅に設けられる。
【００３５】
保持部５１は、ベース部５０上において被保持部３３に対応する位置に設けられている。保持部５１は、発光モジュール４０を着脱可能に保持する。保持部５１および被保持部３３としては、たとえば、スナップボタン、面ファスナー、磁石等を採用することができる。
【００３６】
図３は、図１に示す発光素子の平面図である。図４は、図３に示すＩＶ−ＩＶ線に沿った断面図である。図３および図４を参照して、発光素子１０について説明する。
【００３７】
図３および図４に示すように、発光素子１０は、たとえば可撓性を有する有機ＥＬ素子から構成される。発光素子１０は、透明基板１２、陽極１３、有機層１４、陰極１５、封止部材１６、絶縁層１７、および、発光面１１を含む。陽極１３、有機層１４、および陰極１５は、透明基板１２の表面に順次積層される。
【００３８】
透明基板１２は、たとえば各種のガラス基板から構成される。透明基板１２を構成する部材としては、ＰＥＴ、ＰＣ等のフィルム基板が用いられてもよい。発光面１１は、透明基板１２の有機層１４とは反対側の表面に形成される。
【００３９】
陽極１３は、透明性を有する導電膜である。陽極１３を形成するためには、スパッタリング法等によって、ＩＴＯ（Indium  Tin  Oxide：インジウム錫酸化物）等が透明基板１２上に成膜される。フォトリソグラフィ法等によりＩＴＯ膜が所定の形状にパターニングされることによって、陽極１３が形成される。本実施の形態における陽極１３は、電極部１８（陽極用）および電極部１９（陰極用）を形成するために、パターニングによって２つの領域に分割されている。
【００４０】
有機層１４（発光部）は、電力を供給されることによって光（可視光）を生成することができる。有機層１４は、単層の発光層から構成されていてもよく、正孔輸送層、発光層、正孔阻止層、および電子輸送層などが順次積層されることによって構成されていてもよい。
【００４１】
陰極１５は、たとえばアルミニウム（ＡＬ）である。陰極１５は、真空蒸着法等によって有機層１４を覆うように形成される。陰極１５を所定の形状にパターニングするために、真空蒸着の際にはマスクが用いられるとよい。
【００４２】
陰極１５と陽極１３とが短絡しないように、陰極１５と電極部１８側の陽極１３との間に絶縁層１７が設けられる。陰極１５の絶縁層１７が設けられる側とは反対側の部分は、電極部１９側の陽極１３に接続される。絶縁層１７は、たとえばスパッタリング法を用いてＳｉＯ２などが成膜された後、フォトリソグラフィ法等を用いて陽極１３と陰極１５とを互いに絶縁する箇所を覆うように所望のパターンに形成される。
【００４３】
封止部材１６は、絶縁性を有する樹脂またはガラス基板などから構成される。封止部材１６は、有機層１４を水分等から保護するために形成される。封止部材１６は、陽極１３、有機層１４、および陰極１５の略全体を透明基板１２上に封止する。陽極１３の一部は、電気的な接続のために、封止部材１６から露出している。
【００４４】
陽極１３の封止部材１６から露出している（図４左側の）部分は、電極部１８を構成する。電極部１８と陽極１３とは互いに同じ材料で構成される。電極部１８は、発光素子１０の外周部に位置する。陽極１３の封止部材１６から露出している（図４右側の）部分は、電極部１９を構成する。電極部１９と陽極１３とは互いに同じ材料で構成される。電極部１９も、発光素子１０の外周部に位置する。電極部１８および電極部１９は、有機層１４を挟んで相互に反対側に位置している。電極部１８および電極部１９には、はんだ付け（銀ペースト）等を用いて配線パターン（図示せず）が取り付けられる。
【００４５】
以上のように構成される発光素子１０においては、発光領域Ｒ１および非発光領域Ｒ２が形成される。発光領域Ｒ１が形成される部分は、発光面１１（光放射面）の中央側に位置し、有機層１４が形成されている領域に略対応している。非発光領域Ｒ２が形成される部分は、発光領域Ｒ１の外周に位置し、電極部１８，１９が形成されている領域に略対応している。
【００４６】
なお、発光素子１０は、複数の発光ダイオード（ＬＥＤ）と拡散板とから構成されていてもよいし、冷陰極管等を用いて構成されていてもよい。
【００４７】
図５は、図２に示すＶ線に囲まれる領域を拡大して示す図である。図５を参照して、発光モジュール４０をベース部５０から離脱させる際の挙動について説明する。
【００４８】
複数の発光モジュール４０は、隣接する発光モジュール４０間の隙間に指が十分に入らないように配列されている。このため、発光モジュール４０をベース部５０から離脱させる際には、図５に示すように、指先で発光モジュール４０の周縁部の一部のみをつまんで発光モジュール４０をベース部５０から離隔させる。この際、保持部５１と被保持部３３との係合が解除されるように相当程度の外力を負荷して、発光モジュール４０をベース部５０から離隔させることになる。
【００４９】
一般的に、指先のみで比較的狭い範囲をつまんで発光モジュール４０を離隔させる場合には、指の腹を発光モジュール４０のうら面４０ｂ側に入れ込んで相当程度広範囲の領域をつまんで発光モジュール４０を離隔させる場合と比較して、発光モジュール４０に作用する応力が集中しやすくなる。このため、保持基材３０と被保持部３３との間に何ら手立てがない場合には、保持基材３０と被保持部３３との境界部に応力が集中しやすくなる。
【００５０】
ここで、本実施の形態においては、シート状の樹脂部材３４が保持基材３０と被保持部３３との間に配置されている。これにより、保持基材３０と被保持部３３との間に何ら手立てがない場合と比較して、被保持部３３周りの曲げ強度を向上させるとともに、発光モジュール４０の離隔時に被保持部３３と発光モジュール４０との境界部に負荷される応力を面方向に分散させて緩和することができる。
【００５１】
この結果、被保持部３３と発光モジュール４０との境界部を起点に発光モジュール４０が破損することを抑制することができる。このように発光モジュール４０の破損を抑制することにより、交換時にベース部５０側に発光モジュール４０の一部が残り、交換のための発光モジュール４０が取り付けられなくなったり、残った発光モジュール４０の一部を取り除く必要が生じたりすることを抑制することができる。加えて、破損を心配せずに外力を負荷して発光モジュール４０をベース部５０から離隔させることができるので、容易に発光モジュール４０を離脱させることができる。
【００５２】
（第１変形例）
図６は、第１変形例における照明パネルを示す概略断面図である。図６は、第１変形例における照明パネルにおいて、図５に対応する部分の概略断面図を示している。図６を参照して第１変形例における照明パネル１００Ａについて説明する。
【００５３】
第１変形例における照明パネル１００Ａは、実施の形態１に係る照明パネルと比較した場合に、応力緩和部として、シート状の樹脂部材３４に代えて、樹脂部材３５が設けられている点において相違し、その他の構成については、ほぼ同様である。
【００５４】
樹脂部材３５は、被保持部３３に隣接するように保持基材３０のうら面３０ｂ上に設けられている。樹脂部材３５は、たとえばエポキシ系樹脂、アクリル系樹脂、シリコーン樹脂等の樹脂材料を被保持部３３の周囲に塗布して硬化させたものによって構成される。樹脂部材３５の厚さは被保持部３３から遠ざかるにつれ薄くなっている。なお、樹脂部材３５は、被保持部３３の全周を取り囲む必要はなく、被保持部３３の周縁部のうち、発光モジュール４０をつまむ部分に近い側の周縁部に隣接するように設けられていればよい。被保持部３３は、保持基材３０のうら面３０ｂに設けられている。保持基材３０のうら面３０ｂのうち樹脂部材３５から露出する部分は、発光モジュール４０のうら面４０ｂの一部に相当する。
【００５５】
このように樹脂部材３５を設けた場合であっても、被保持部３３周りの曲げ強度を向上するとともに、被保持部３３と発光モジュール４０との境界部に負荷される応力を分散させて緩和させることができる。このため、第１変形例における照明パネル１００Ａにあっても、実施の形態１に係る照明パネル１００とほぼ同様の効果が得られる。
【００５６】
（第２変形例）
図７は、第２変形例における照明パネルを示す概略断面図である。図７は、第２変形例における照明パネルにおいて、図５に対応する部分の概略断面図を示している。図７を参照して、第２変形例における照明パネル１００Ｂについて説明する。
【００５７】
第２変形例における照明パネル１００Ｂは、実施の形態１に係る照明パネルと比較した場合に、応力緩和部としてのシート状の樹脂部材３４が保持基材３０のおもて面３０ａ上に設けられている点において相違し、その他の構成については、ほぼ同様である。
【００５８】
シート状の樹脂部材３４は、保持基材３０上に設けられ、保持基材３０を介して被保持部３３と面するように設けられている。シート状の樹脂部材３４は、発光素子１０と同時に封止部３１によって封止される。被保持部３３は、保持基材３０のうら面３０ｂに設けられている。保持基材３０のうら面３０ｂは、発光モジュール４０のうら面４０ｂに相当する。
【００５９】
このように樹脂部材３４を設けた場合であっても、被保持部３３周りの曲げ強度を向上するとともに、被保持部３３と発光モジュール４０との境界部に負荷される応力を分散させて緩和させることができる。このため、第２変形例における照明パネル１００Ｂにあっても、実施の形態１に係る照明パネル１００とほぼ同様の効果が得られる。
【００６０】
（実施の形態２）
図８は、本実施の形態に係る照明パネルを示す概略断面図である。図８は、本実施の形態に係る照明パネル１００Ｃにおいて、図２に対応する部分の概略断面図の一部を示している。図８を参照して、本実施の形態係る照明パネル１００Ｃについて説明する。
【００６１】
図８に示すように、本実施の形態に係る照明パネル１００Ｃは、実施の形態１に係る照明パネル１００と比較した場合に、離隔手段としてのつまみ部６０Ａがさらに設けられている点において相違し、その他の構成はほぼ同様である。
【００６２】
ここで、離隔手段とは、発光モジュール４０の周縁部の一部をベース部５０から容易に離隔させるための部位である。
【００６３】
つまみ部６０Ａは、可撓性また柔軟性を有し、たとえば短冊形状を有する。つまみ部６０Ａは、発光モジュール４０の周縁部の一部から発光モジュール４０のおもて面４０ａ側に向けて引き出されている。具体的には、つまみ部６０Ａは、保持基材３０の端部から外部に引き出されている。
【００６４】
つまみ部６０Ａとしては、発光の妨げとならないように、透光性を有する樹脂フィルムを採用することができる。具体的には、つまみ部６０Ａとしては、ＰＥＴ、ＰＥＮ、ＰＣ等の公知の透明樹脂フィルムを採用することが好ましい。
【００６５】
つまみ部６０Ａは、保持基材３０と別体で設けられていてもよいし、保持基材３０の一部として設けられていてもよい。つまみ部６０Ａが保持基材３０と別体で設けられる場合には、透明樹脂フィルムの一部が封止部３１と保持基材３０との間に透明樹脂フィルムの一部が封止されてもよいし、透明樹脂フィルムの一部が保持基材３０のうら面３０ｂに接着や溶着されてもよい。
【００６６】
つまみ部６０Ａと保持基材３０は、同じ材料で構成されてもよいし、異なる材料で構成されてもよい。
【００６７】
つまみ部６０Ａが保持基材３０の一部として、設けられる場合には、たとえば、保持基材３０の一部が封止部３１からはみ出すように、保持基材３０にはみ出し部が設けられてもよい。
【００６８】
なお、つまみ部６０Ａが保持基材３０に設けられる場合を例示して説明したが、これに限定されず、同様の構成で封止部３１に設けられていてもよい。つまみ部６０Ａとしての透明樹脂フィルムの一部が封止部３１のおもて面３１ａに接着や溶着されていてもよいし、封止部３１にはみ出し部が設けられていてもよい。
【００６９】
上述のように実施の形態１に係る照明パネル１００にあっては、隣接する複数の発光モジュール４０間において輝度が低下することを防止するために、複数の発光モジュール４０がほとんど隙間なく並べられる。
【００７０】
このため、発光モジュール４０の周縁部をつまむ際に、指先でつまみにくくなる場合があり、時間を要する場合がある。特に、周囲が囲まれている発光モジュール４０の周縁部をつまむ場合には、必要以上に時間がかかる場合がある。
【００７１】
本実施の形態にあっては、保持基材３０の一部から引き出されたつまみ部６０Ａを容易につまむことができるため、迅速に発光モジュール４０をベース部５０から離隔させることができる。この際、照明パネル１００Ｃは、実施の形態１と同様に応力緩和部としてのシート状の樹脂部材３４を備えているため、発光モジュール４０を破損させることなく、ベース部５０から離脱させることができる。
【００７２】
（第３変形例）
図９は、第３変形例における照明パネルを示す概略断面図である。図９は、第３変形例における照明パネル１００Ｄにおいて、図２に対応する部分の概略断面図の一部を示している。図９を参照して、第３変形例における照明パネル１００Ｄについて説明する。
【００７３】
図９に示すように、第３変形例における照明パネル１００Ｄは、実施の形態２に係る照明パネル１００Ｃと比較した場合に、離隔手段として、つまみ部に代えて、突き上げ機構６０Ｂが設けられている点において相違し、その他の構成はほぼ同様である。
【００７４】
突き上げ機構６０Ｂは、発光モジュール４０のうら面４０ａ側から発光モジュール４０を取り外し方向に突き上げてベース部５０から離隔させる。突き上げ機構６０Ｂは、たとえば、ベース部５０のうら面側（発光モジュール４０と反対側）に配置される。
【００７５】
突き上げ機構６０Ｂは、発光モジュール４０に接触して移動させるためのピン部６１と、ピン部６１を移動させるためのレバー部６２とを含む。ピン部６１は、発光モジュール４０と反対側に位置する端部に傾斜面６１ａを有する。ピン部６１は、ベース部５０に設けられた挿入孔部５２を貫通するように挿入されている。
【００７６】
レバー部６２は、操作部６３と先端部６４とを含む。先端部６４は、ピン部６１の傾斜面に対応する傾斜部６４ａを有する。ピン部６１は、レバー部６２の傾斜部６４ａ上をスライド移動可能に構成されている。
【００７７】
操作部６３を矢印Ａ方向に往復移動させると、これに連動してピン部６１が矢印Ｂ方向に往復移動する。操作部６３を押し込むことにより、ピン部６１が発光モジュール４０側に向けて移動し、発光モジュール４０の周縁部の一部をベース部５０から離隔させる。これにより、発光モジュール４０の周縁部の一部を容易につかむことができる。
【００７８】
このため、第３変形例における照明パネル１００Ｄおいても、実施の形態２に係る照明パネル１００Ｃとほぼ同様の効果が得られる。
【００７９】
（第４変形例）
図１０は、第４変形例における照明パネルを示す概略断面図である。図１０は、第４変形例における照明パネル１００Ｅにおいて、図２に対応する部分の概略断面図の一部を示している。図１０を参照して、第４変形例における照明パネル１００Ｅについて説明する。
【００８０】
図１０に示すように、第４変形例における照明パネル１００Ｅは、実施の形態２に係る照明パネル１００Ｃと比較した場合に、離隔手段として、ベース部５０に設けられた開口部６０Ｃを備える点において相違し、その他の構成はほぼ同様である。
【００８１】
開口部６０Ｃは、たとえばベース部５０の略中央に設けられる。このような構成においては、発光モジュール４０のおもて面４０ａを矢印方向に押し込むことにより、発光モジュール４０の周縁部をベース部５０から離隔させることができる。これにより、発光モジュール４０の周縁部を容易につかむことができる。
【００８２】
このため、第４変形例における照明パネル１００Ｅおいても、実施の形態２に係る照明パネル１００Ｃとほぼ同様の効果が得られる。
【００８３】
なお、開口部６０Ｃの大きさおよび位置は、発光モジュール４０の大きさ、発光モジュール４０とベース部５０との距離等を考慮して、発光モジュール４０の周縁部が持ち上がるように適宜設定することができる。
【００８４】
（実施の形態３）
図１１は、本実施の形態に係る照明パネルを示す概略断面図である。図１１を参照して、本実施の形態に係る照明パネル１００Ｆについて説明する。
【００８５】
図１１に示すように、本実施の形態に係る照明パネル１００Ｆは、実施の形態１に係る照明パネル１００と比較した場合に、発光モジュール４０が単数の発光素子１０によって構成されている点において相違し、その他の構成についてはほぼ同様である。
【００８６】
シート状の樹脂部材３４は、発光面１１が位置する側と反対側に位置する発光素子１０の裏面１０ｂに設けられている。この場合においては、シート状の樹脂部材３４は、非発光領域２における封止部材１６のうら面１６ｂに設けられていることが好ましい。
【００８７】
被保持部３３は、シート状の樹脂部材３４のうら面３４ｂに設けられる。被保持部３３は、非発光領域Ｒ２におけるシート状の樹脂部材３４のうら面３４ｂに設けられることが好ましい。シート状の樹脂部材３４のうら面３４ｂは、シート状の樹脂部材３４から露出する部分における封止部材１６のうら面１６ｂとともに、発光モジュール４０のうら面４０ｂを構成する。すなわち、被保持部３３は、発光モジュール４０のうら面４０ｂに設けられている。
【００８８】
このようにシート状の樹脂部材３４を設けた場合であっても、被保持部３３と発光モジュール４０との境界部に負荷される応力を分散させて緩和させることができる。このため、本実施の形態に係る照明パネル１００Ｆにあっても、実施の形態１に係る照明パネル１００とほぼ同様の効果が得られる。
【００８９】
上述した実施の形態１から３および変形例１から４にあっては、発光素子１０が、いわゆるボトムエミッション型の有機ＥＬ素子である場合を例示して説明したが、これに限定されず、トップエミッション型の有機ＥＬ素子であってもよい。
【００９０】
上述した実施の形態１，２および変形例１から４にあっては、発光モジュール４０に含まれる発光素子１０の枚数が８枚である場合を例示して説明したが、これに限定されず、１枚から７枚までの枚数であってもよいし、９枚以上であってもよい。
【００９１】
上述した実施の形態１，２および変形例１から４にあっては、照明パネルが複数の発光モジュールを含む場合を例示して説明したが、これに限定されず、単数の発光モジュールを含む場合であってもよい。この場合には、単数の発光モジュールは、ほとんど隙間なく筐体内に固定されることが好ましい。この場合にあっても、発光モジュールを交換する際には、発光モジュールの周縁部の一部のみを筐体から離隔させることとなる。
【００９２】
上述した実施の形態１，２および変形例１から４にあっては、発光モジュールが封止部３１を備える場合を例示して説明したが、これに限定されず、封止部３１が設けられず、発光素子１０が外部に露出するように保持基材３０に保持されていてもよい。
【００９３】
以上、本発明の実施の形態および変形例について説明したが、今回開示された実施の形態および変形例はすべての点で例示であって制限的なものではない。本発明の範囲は特許請求の範囲によって示され、特許請求の範囲と均等の意味および範囲内でのすべての変更が含まれる。
【符号の説明】
【００９４】
１００，１００Ａ，１００Ｂ，１００Ｃ，１００Ｄ，１００Ｅ  照明パネル、１０  発光素子、１１  発光面、１２  透明基板、１３  陽極、１４  有機層、１５  陰極、１６  封止部材、１７  絶縁層、１８，１９  電極部、３０  保持基材、３１  封止部、３３  被保持部、３４，３５  樹脂部材、４０  発光モジュール、５０  ベース部、５１  保持部、６０Ａ  つまみ部、６０Ｂ  突き上げ機構、６０Ｃ  開口部、６１  ピン部、６１ａ  傾斜面、６２  レバー部、６３  操作部、６４  先端部、６４ａ  傾斜部、２００  設置面。
【図１】
2015138740.tif 000003
【図２】
2015138740.tif 000004
【図３】
2015138740.tif 000005
【図４】
2015138740.tif 000006
【図５】
2015138740.tif 000007
【図６】
2015138740.tif 000008
【図７】
2015138740.tif 000009
【図８】
2015138740.tif 000010
【図９】
2015138740.tif 000011
【図１０】
2015138740.tif 000012
【図１１】
2015138740.tif 000013